(57)【特許請求の範囲】
【請求項１】
光学走査系を有し、この光学走査系を介して原稿の画像を読み取る読取手段を用いた原稿画像の読取モードとして、前記光学走査系を第１の原稿台に沿って副走査方向に移動させることにより、前記第１の原稿台上に載置された原稿の画像を読み取る第１の読取モードと、前記光学走査系を前記副走査方向の所定位置に停止させた状態で、第２の原稿台上を移動する原稿の画像を読み取る第２の読取モードのいずれか一方を選択する読取モード選択手段と、
前記読取手段による原稿画像の読み取りによって得られた画像信号を取り込んで当該原稿画像の読み取り対象とされた被読み取り原稿がカラー原稿か白黒原稿かを識別する識別処理を行う原稿色識別手段と、
前記読取モード選択手段によって前記第１の読取モードが選択された場合は前記原稿色識別手段における前記識別処理の処理条件を第１の処理条件に設定し、前記読取モード選択手段によって前記第２の読取モードが選択された場合は前記識別処理の処理条件を前記第１の処理条件と異なる第２の処理条件に設定する処理条件設定手段と
を備えることを特徴とする画像処理装置。
【請求項２】
前記原稿色識別手段は、前記被読み取り原稿がカラー原稿か白黒原稿かを識別するための識別用情報を用いて前記識別処理を行うとともに、当該識別処理の処理条件として前記処理条件設定手段により前記第２の処理条件が設定された場合に、前記被読み取り原稿の読取画像領域内において前記第２の読取モードで前記第２の原稿台上を移動する原稿の速度変更に起因して発生する色付き領域を含む第１の領域と当該第１の領域を除く第２の領域とで前記識別用情報を切り替える
ことを特徴とする請求項１記載の画像処理装置。
【請求項３】
前記原稿色識別手段は、前記読取手段による原稿画像の読み取りによって得られた画像信号を取り込むとともに、この取り込んだ画像信号を画素単位で補正可能な画素補正手段を備えるものであって、
前記画素補正手段は、前記第１の領域と前記第２の領域に対応した前記識別用情報の切り替えに応じて前記画像信号の補正有無を選択する
ことを特徴とする請求項２記載の画像処理装置。
【請求項４】
前記原稿色識別手段は、前記画像信号の各画素がカラー画素か白黒画素かを判定するとともに、この判定に用いられる画素色判定閾値又は当該画素色判定閾値を用いて判定された画素色判定結果を前記識別用情報とし、かつ、当該識別用情報を補正可能な画素色判定手段を備えるものであって、
前記画素色判定手段は、前記第１の領域と前記第２の領域に対応した前記識別用情報の切り替えに応じて前記画素色判定閾値の補正有無又は前記画素色判定結果の補正有無を選択する
ことを特徴とする請求項２記載の画像処理装置。
【請求項５】
前記原稿色識別手段は、前記被読み取り原稿の読取画像領域を複数のブロックに分割して各々のブロックがカラーブロックか白黒ブロックかを判定するとともに、この判定に用いられるブロック色判定閾値又は当該ブロック色判定閾値を用いて判定されたブロック色判定結果を前記識別用情報とし、かつ、当該識別用情報を補正可能なブロック色判定手段を備えるものであって、
前記ブロック色判定手段は、前記第１の領域と前記第２の領域に対応した前記識別用情報の切り替えに応じて前記ブロック色判定閾値の補正有無又は前記ブロック色判定結果の補正有無を選択する
ことを特徴とする請求項２記載の画像処理装置。
【発明の詳細な説明】
【０００１】
【発明の属する技術分野】
本発明は、原稿の画像を読み取ってその画像信号（画像データ）を処理する複写機、イメージスキャナ、ファクシミリ装置等の画像処理装置に関し、特に、読み取り対象となる原稿がカラー原稿か白黒原稿かを自動的に識別するＡＣＳ(Auto Color Selection)処理機能を備えた画像処理装置に関する。
【０００２】
【従来の技術】
一般に、フルカラー複写機等の画像処理装置においては、処理対象の原稿がカラー原稿か白黒原稿かに応じて画像形成モード（カラーモード／白黒モード）を切り換えるようにしている。また、原稿がカラー原稿か白黒原稿かを識別する、いわゆる原稿色の識別は、ユーザがその都度指定しなくても、ＡＣＳ処理機能によって自動的に行うものが公知となっている。
【０００３】
ＡＣＳ処理は主に３つの処理ステップによって行われる。第１の処理ステップでは、原稿の画像を読み取って得られた画像信号の各画素と画素色判定閾値との比較により、各々の画素がカラー画素か白黒画素かを判定する。第２の処理ステップでは、原稿の読取画像領域を複数のブロックに分割し、各々のブロック毎に上記第１の処理ステップでカラー画素と判定された画素数をカウントし、そのカウント値とブロック色判定閾値との比較により各々のブロックがカラーブロックか白黒ブロックかを判定する。第３の処理ステップでは、原稿の読取画像領域内において上記第２の処理ステップでカラーブロックと判定されたブロック数をカウントし、そのカウント値と原稿色判定閾値との比較により原稿がカラー原稿か白黒原稿かを判定する。
【０００４】
このようなＡＣＳ処理機能を利用して原稿がカラー原稿か白黒原稿かを識別する場合は、ＡＣＳ処理の使用環境やユーザの好みに合わせてカラー／白黒判定用の閾値を最適化する必要がある。そこで、例えば特開平４−９０６７５号公報には、上述のように原稿の画像を読み取って得られた画素信号について、各々の画素がカラー画素か白黒画素かを判定するにあたり、デフォルトの原稿色閾値とは別に所定色閾値を設け、この所定色閾値で規定される判定領域に含まれる画素を白黒画素として取り扱うＡＣＳ処理技術が提案されている。また、特開平４−３３６８７６号公報には、色相及び彩度を表す色度平面上（a*b*平面上）にカラー／白黒判定用の判定領域を設けるとともに、この判定領域の大きさを明度（L*値）に応じて可変するＡＣＳ処理技術が提案されている。
【０００５】
また近年では、原稿の画像を読み取る方式として、自動原稿送り装置により搬送された移動中の原稿の画像を、キャリッジ等の光学走査系を固定したままで読み取り走査（流し読み）するＣＶＴ(Constant Velocity Transport)方式を採用することにより、原稿画像の高速読み取りを実現するケースが増えている。
【０００６】
【発明が解決しようとする課題】
しかしながら、ＡＣＳ処理機能を備える画像処理装置にＣＶＴ方式を採用した場合は、原稿搬送用のローラから原稿が抜けるときなどに原稿の搬送速度が瞬間的に変動する。この原稿搬送時の速度変動は、画像読取用センサとしてＣＣＤラインセンサを用いた場合にライン間のギャップ補正に悪影響を及ぼす。その結果、原稿の副走査方向の所定位置でライン状の色付きが発生し、この色付き領域の存在によりＡＣＳ処理で原稿色を誤って識別する恐れがある。
【０００７】
この対策として、例えば上記特開平４−９０６７５号公報や特開平４−３３６８７６号公報に開示されたＡＣＳ処理技術において、色付き領域に対応する色空間を白黒画素と判定するように閾値を調整すると、本来であればその色空間に含まれるカラー画素までも白黒画素と判定されてしまうため、結果的にＡＣＳ処理の誤判定を招くことになる。
【０００８】
本発明は、上記課題を解決するためになされたもので、その目的とするところは、原稿搬送時の速度変動によって色付きが発生した際のＡＣＳ処理の誤判定を低減することができる画像処理装置を提供することにある。
【０００９】
【課題を解決するための手段】
本発明に係る画像処理装置は、光学走査系を有し、この光学走査系を介して原稿の画像を読み取る読取手段を用いた原稿画像の読取モードとして、光学走査系を第１の原稿台に沿って副走査方向に移動させることにより、第１の原稿台上に載置された原稿の画像を読み取る第１の読取モードと、光学走査系を副走査方向の所定位置に停止させた状態で、第２の原稿台上を移動する原稿の画像を読み取る第２の読取モードのいずれか一方を選択する読取モード選択手段と、読取手段による原稿画像の読み取りによって得られた画像信号を取り込んで当該原稿画像の読み取り対象とされた被読み取り原稿がカラー原稿か白黒原稿かを識別する識別処理を行う原稿色識別手段と、読取モード選択手段によって第１の読取モードが選択された場合は原稿色識別手段における識別処理の処理条件を第１の処理条件に設定し、読取モード選択手段によって第２の読取モードが選択された場合は識別処理の処理条件を第１の処理条件と異なる第２の処理条件に設定する処理条件設定手段とを備えた構成を採用している。
【００１０】
上記構成の画像処理装置において、読取モード選択手段により第１の読取モードが選択されると、原稿色識別手段における識別処理の処理条件が第１の処理条件に設定され、読取モード選択手段により第２の読取モードが選択されると、原稿色識別手段における識別処理の処理条件が第２の処理条件に設定される。これにより、原稿画像の読取モードに応じて原稿色識別手段の処理条件が設定されるようになる。
【００１１】
【発明の実施の形態】
以下、本発明に係る画像処理装置を、例えばイメージスキャナ等の画像読取装置に適用した場合の具体的な実施の形態につき、図面を参照しつつ詳細に説明する。なお、本発明に係る画像処理装置は画像読取装置に限らず、カラー複写機、ファクシミリ装置などにも適用可能である。
【００１２】
図１は本発明が適用される画像読取装置の構成例を示す概略図である。図示した画像読取装置１は、読取手段を内蔵する装置本体２と、この装置本体２上でヒンジ機構等により開閉自在に支持された原稿押さえ部３とを備えて構成されている。装置本体２の上面部には、後述する第１の読取モード時に使用される第１の原稿台４と、後述する第２の読取モード時に使用される第２の原稿台５が並設されている。これら第１，第２の原稿台４，５は、いずれも光透過性を有するガラス（透明ガラス等）を用いて構成されている。
【００１３】
原稿押さえ部３は、第１の原稿台４上に載置された原稿を上から押さえるときにユーザによって開閉操作されるものである。この原稿押さえ部３には、原稿セット部６と、原稿排出部７と、原稿搬送部８とが設けられている。原稿セット部６は、ＣＶＴ方式に基づく第２の読取モードによって読み取られる原稿（原稿束）がセットされる部分である。原稿排出部７は、第２の読取モードにしたがって読み取られた原稿が排出される部分である。原稿セット部６と原稿排出部７は、原稿押さえ部３で上下の位置関係に配置されている。
【００１４】
原稿搬送部８は、原稿セット部６にセットされた原稿を搬送路Ｒに沿って一枚ずつ搬送するとともに、この搬送した原稿を第２の原稿台５上で移動させた後、最終的に原稿排出部７に向けて原稿を排出するものである。この原稿搬送部８には、繰り出しローラ９、第１の搬送ローラ１０、レジストローラ１１、第２の搬送ローラ１２、排出ローラ１３が設けられている。繰り出しローラ９は、原稿セット部６にセットされた原稿を搬送路Ｒ上に繰り出すものである。第１の搬送ローラ１０は、繰り出しローラ９によって繰り出された原稿を搬送路Ｒに沿ってレジストローラ１１側に搬送するものである。レジストローラ１１は、第１の搬送ローラ１０によって搬送された原稿を第２の原稿台５上に送り出すものである。第２の搬送ローラ１２は、レジストローラ１１の送り出しによって第２の原稿台５上を通過した原稿を受け取って排出ローラ１３側に搬送するものである。排出ローラ１３は、第２の搬送ローラ１２によって搬送された原稿を受け取って原稿排出部７に排出するものである。
【００１５】
なお、上記複数のローラ９〜１３を用いて構成される原稿搬送部８は、各々のローラの回転によって原稿を搬送し、かつこの搬送時において原稿を第２の原稿台５上で移動させる基本的な搬送機能の他、両面読取のために原稿面を表裏反転させる反転機能と、この反転機能によって反転させた原稿面の向きを元通りに戻して原稿排出部７に排出する整合機能を備えている。ただし、反転機能と整合機能に関しては本発明の要旨に直接関連しないため、詳しい説明を省略する。
【００１６】
装置本体２の内部には、原稿の画像を読み取る読取手段として、光学走査系１４、結像レンズ１５及び光電変換素子１６が設けられている。光学走査系１４は、それぞれ副走査方向（図の左右方向）に移動可能に支持されたフルレートキャリッジ１７とハーフレートキャリッジ１８を用いて構成されている。フルレートキャリッジ１７にはランプ１９と第１ミラー２０が搭載され、ハーフレートキャリッジ１８には第２ミラー２１と第３ミラー２２が搭載されている。
【００１７】
フルレートキャリッジ１７とハーフレートキャリッジ１８は、互いに共通のキャリッジ移動用モータを駆動源として副走査方向Ｙに移動するものである。その際、ハーフレートキャリッジ１８はフルレートキャリッジ１７の１／２の移動量（移動速度）をもって移動し、これによって副走査方向Ｙのいずれの位置にキャリッジ１７，１８が移動した状態でも、原稿面から光電変換素子１６までの光路長が常に一定に保持される構成となっている。
【００１８】
ランプ１９は、読み取り対象となる原稿面に向けて光を照射するもので、その原稿面からの反射光が、第１ミラー２０、第２ミラー２１及び第３ミラー２２で順に反射される。結像レンズ１５は、第３ミラー２２によって反射された光を所定の縮小倍率で光電変換素子１６の撮像面に結像させるものである。光電変換素子１６は、原稿画像を読み取るためのイメージセンサで、例えば３ラインカラーＣＣＤセンサ等によって構成される。この光電変換素子１６は、原稿面からの反射光を画素単位で光電変換し、Ｒ（赤），Ｇ（緑），Ｂ（青）のアナログ画像信号（アナログのＲＧＢ信号）を出力するものである。
【００１９】
図２は本発明が適用される画像読取装置の制御構成を示すブロック図である。図２において、光電変換素子１６から出力されるアナログ画像信号は、アナログ／シェーディング補正部２３に与えられる。このアナログ／シェーディング補正部２３では、光電変換素子１６から与えられたアナログ画像信号に対して、自動ゲイン制御（ＡＧＣ)、自動オフセット制御（ＡＯＣ）等の処理を実施した後、Ａ／Ｄ変換を施す。さらに、アナログ／シェーディング補正部２３では、上記Ａ／Ｄ変換によりアナログ値からデジタルの多値情報に変換されたデジタル画像信号（デジタルのＲＧＢ信号）に対し、シェーディング補正を施す。
【００２０】
こうして補正されたデジタル画像信号は、画像処理部２４へ送られる。画像処理部２４では、アナログ／シェーディング補正部２３から与えられたデジタル画像信号（デジタルのＲＧＢ信号）に対して種々の処理を施すものである。この画像処理部２４での処理形態の一つとして、ＲＧＢ表色系からL*a*b*表色系への色変換処理がある。この色変換処理により、デジタルのＲＧＢ信号は、明度を表すL*と色相及び彩度を表すa*,b*の多値情報に変換される。この変換によって生成された画像信号（以下、L*a*b*信号）は、原稿色識別手段となるＡＣＳ処理部２５に送られる。
【００２１】
ＡＣＳ処理部２５は、読取手段による原稿画像の読み取りによって光電変換素子１６から出力されかつアナログ／シェーディング補正部２３及び画像処理部２４を経て生成されたL*a*b*信号を取り込んで、原稿画像の読み取り対象とされた被読み取り原稿がカラー原稿か白黒原稿かを識別する識別処理を行うものである。この識別処理に際してＡＣＳ処理部２５では、被読み取り原稿がカラー原稿か白黒原稿かを識別するための識別用情報として、画像処理部２４から入力される画像信号や後述する画素色判定閾値、ブロック色判定閾値などが用いられる。
【００２２】
ちなみに、「被読み取り原稿」とは、第１の読取モードでいえば、第１の原稿台４上に載置され、この状態で原稿画像の読み取りが行われる原稿をいい、第２の読取モードでいえば、原稿セット部６にセットされ、この原稿セット部６から原稿搬送部８により第２の原稿台５上に送られて当該第２の原稿台５上を移動しながら原稿画像の読み取りが行われる原稿をいう。
【００２３】
主制御部２６は、例えばＣＰＵ（中央演算処理装置）等によって構成され、ＲＯＭ(Read-Only Memory）２７に格納された制御プログラムに従って画像読取装置１全体の動作を統括的に制御するものである。各種センサ２８は、画像読取装置１全体の動作を制御するうえで必要とされるセンサである。ＵＩ部２９は、ボタン、スイッチ等による入力部と表示部などを備える操作パネル（コントロールパネル）によって構成されるもので、画像読取装置１を操作するための操作情報などをユーザが指定する際に用いられる。
【００２４】
主制御部２６には、各種センサ２８からの検知信号とＵＩ部（ユーザインタフェース部）２９からの操作信号がそれぞれ入力される。各種センサ２８の中には、例えば、原稿押さえ部３の開閉状態を検知する開閉検知センサ、被読み取り原稿の原稿サイズを検知する原稿サイズ検知センサ、原稿セット部６に原稿がセットされているか否かを検知する第１の原稿有無センサ（原稿サイズ検知センサと兼用可）、第１の原稿台４上に原稿が載置されているか否かを検知する第２の原稿有無センサ（原稿サイズ検知センサと兼用可）、副走査方向におけるキャリッジ１７，１８の位置を検知するキャリッジ位置検知センサ、原稿搬送部８での原稿詰まり等を検知するジャムセンサなどが含まれる。
【００２５】
これら各種センサ２８から入力される検知信号を受けて、主制御部１６は、上記読取手段を用いた原稿画像の読取モードとして、第１の読取モードと第２の読取モードのいずれか一方を選択する。第１の読取モードとは、光学走査系１４を予め設定されたホームポジション（図１の左端）から第１の原稿台４に沿って副走査方向Ｙに移動させることにより、第１の原稿台４上に載置された原稿の画像を読み取る動作モードである。第２の読取モードとは、光学走査系１４を副走査方向Ｙの所定の位置（ホームポジション又はその近傍）に停止させた状態で、原稿搬送部８の搬送動作によって第２の原稿台５上を移動する原稿の画像を読み取る動作モードである。この第２の読取モードでは、フルレートキャリッジ１７に搭載された第１ミラー２０のほぼ直上位置が原稿画像の読取位置となる。
【００２６】
主制御部１６における読取モードの選択は、例えば上記第１の原稿有無センサからの検知信号に基づいて行われる。即ち、第１の原稿有無センサからの検知信号により、原稿セット部６に原稿がセットされていると判断した場合は第２の読取モードを選択し、原稿セット部６に原稿がセットされていないと判断した場合は第１の読取モードを選択する。こうした主制御部１６による読取モードの選択処理は、ＵＩ部１９に設けられたスタートボタンをユーザが押下したときに実行される。なお、読取モードの選択処理時に参照されるセンサ検知信号としては、第１の原稿有無センサからの検知信号の代わりに上記第２の原稿有無センサからの検知信号を利用してもよく、また第１，第２の原稿有無センサからの各検知信号を共に利用してもよい。
【００２７】
原稿搬送制御部３０、照明制御部３１及び走査制御部３２は、それぞれ主制御部２６からの制御命令に従って制御対象部の動作を制御するものである。即ち、原稿搬送制御部３０は、先述の原稿押さえ部３に装備された原稿搬送部８を制御対象として当該原稿搬送部８の駆動源となる原稿搬送用モータ３３の回転動作を制御するものである。照明制御部３１は、先述のフルレートキャリッジ１７に搭載されたランプ１９を制御対象として、当該ランプ１９のオンオフ（点灯、消灯）動作を制御するものである。走査制御部３２は、先述の光学走査系１４のキャリッジ１７，１８を制御対象として、キャリッジ移動のための駆動源となるキャリッジ移動用モータ３４の回転動作を制御するものである。原稿搬送用モータ３３やキャリッジ移動用モータ３４には、パルスモータ等の制御モータが用いられる。
【００２８】
図３はＡＣＳ処理部２５の構成を示すブロック図である。図示のようにＡＣＳ処理部２５は、画素補正部３５、画素色判定部３６、ブロック色判定部３７、原稿色判定部３８、領域特定部３９等を備えて構成されている。画素補正部３５は、画像処理部２４から入力されるL*a*b*信号を識別用情報として取り込み、この取り込んだL*a*b*信号を、予め設定された画素補正係数を用いて画素単位で補正する機能を備えるものである。
【００２９】
画素色判定部３６は、画素補正部３５を介して入力されたL*a*b*信号の各画素がカラー画素か白黒画素かを判定するものである。この画素色判定部３６での判定に際しては画素色判定閾値が用いられる。画素色判定閾値はＡＣＳ処理部２５の識別処理で用いられる識別用情報の一つに該当するで、画素色判定部３６はこの画素色判定閾値を補正する機能（詳細は後述）を備えている。この画素色判定閾値は、L*a*b*表色系の均等色空間において、色相及び彩度を表す色度平面上に円形、多角形などの判定領域を設定（区画）するためのものである。これに対して画素色判定部３６においては、各画素の色度情報と画素色判定閾値とを比較し、画素色判定閾値で設定される判定領域に含まれる画素は白黒画素、含まれない画素はカラー画素と判定する。画素色判定部３６による画素色判定結果はブロック色判定部３７に送られる。
【００３０】
ブロック色判定部３７は、被読み取り原稿の読取画像領域をブロック色判定の対象領域とて当該読取画像領域をＮ画素×Ｍライン単位のブロックに分割し、各々のブロックがカラーブロックか白黒ブロックかを判定するものである。このブロック色判定部３７では、各ブロックの色判定（カラー／白黒判定）に際してブロック色判定閾値が用いられる。ブロック色判定閾値はＡＣＳ処理部２５で用いられる識別用情報の一つに該当するもので、ブロック色判定部３７はこのブロック色判定閾値を補正する補正機能（詳細は後述）を備えている。また、ブロック色判定部３７によるブロック色の判定は、画素色判定部３６から与えられる画素色判定結果に基づいてブロック毎に行われる。即ち、ブロック色判定部３７では、上述のように分割した複数のブロックについて、各々のブロックに含まれる複数の画素のうち、画素色判定部３６でカラー画素（又は白黒画素）と判定された画素の数をカウントするとともに、このカウント値と予め設定されたブロック色判定閾値とを比較し、この比較結果に基づいてカラーブロックか白黒ブロックかを判定する。例えば、ブロック色判定部３７でカウント対象となる画素がカラー画素である場合は、実際に各ブロック内でカウントしたカラー画素の数とブロック色判定閾値との大小関係を比較し、カラー画素の数がブロック色判定閾値以上であれば、そのブロックをカラーブロックと判定し、カラー画素の数がブロック色判定閾値未満であれば、そのブロックを白黒ブロックと判定する。ブロック色判定部３７によるブロック色判定結果は原稿色判定部３８に送られる。
【００３１】
以上の画素補正部３５、画素色判定部３６及びブロック色判定部３７を含むＡＣＳ処理部２５に対しては、主制御部２６から補正有効信号が与えられる。この補正有効信号は、画素補正部３５、画素色判定部３６及びブロック色判定部３７に対して主制御部２６からそれぞれ個別に（又は一括して）与えられるもので、画素補正部３５、画素色判定部３６及びブロック色判定部３７が備える各々の補正機能（後述）の有効／無効を切り換えるために用いられる。また、補正有効信号は、ＡＣＳ処理部２５による原稿色（カラー／白黒）の識別処理の処理条件を、第１の処理条件と当該第１の処理条件と異なる第２の処理条件のいずれか一方に設定する際に主制御部２６から出力される。第１の処理条件は、主制御部２６で第１の読取モードが選択された場合にＡＣＳ処理部２５に対して設定されるもので、第２の処理条件は、主制御部２６で第２の読取モードが選択された場合にＡＣＳ処理部２５に対して設定されるものである。
【００３２】
さらに詳述すると、補正有効信号は、例えば「１」，「０」のビット信号で与えられるもので、先述した読取モードの選択処理において主制御部２６が第１の読取モードを選択した場合は「０」にセットされ、第２の読取モードを選択した場合は「１」にセットされる。これに対して、主制御部２６からの補正有効信号を受け取るＡＣＳ処理部２５では、識別処理の処理条件として、補正有効信号が「０」のときは第１の処理条件に設定され、補正有効信号が「１」のときは第２の処理条件に設定される。そして、第１の処理条件に設定された場合はＡＣＳ処理部２５で識別用情報の切り替えが行われず、第２の処理条件に設定された場合はＡＣＳ処理部２５で識別用情報の切り替えが行われる。
【００３３】
原稿色判定部３８は、ブロック色判定部３７から与えられる判定結果に基づいて被読み取り原稿がカラー原稿か白黒原稿かを判定するものである。この原稿色判定部３８では、原稿の色判定（カラー／白黒判定）に際して原稿色判定閾値が用いられる。この原稿色判定閾値は、ＡＣＳ処理部２５で用いられる識別用情報の一つに該当するものであるが、主制御部２６によって選択される読取モードが第１，第２の読取モードのいずれであっても同じ値が適用される。ただし、被読み取り原稿の原稿サイズが異なれば、それに応じて原稿色判定閾値が変更されることになる。
【００３４】
また、原稿色判定部３８による判定は、ブロック色判定部３７から与えられるブロック色判定結果を基に次のような手法で行われる。即ち、原稿色判定部３８では、被読み取り原稿の読取画像領域を分割する各ブロックのうち、ブロック色判定部３７でカラーブロック（又は白黒ブロック）と判定されたブロックの数をカウントするとともに、このカウント値と予め設定された原稿色判定閾値とを比較し、この比較結果に基づいて原稿がカラー原稿か白黒原稿かを判定する。例えば、原稿色判定部３８でカウント対象となるブロックがカラーブロックである場合は、実際に読み取り領域内でカウントしたカラーブロックの数と原稿色判定閾値との大小関係を比較し、カラーブロックの数が原稿色判定閾値以上であれば、被読み取り原稿をカラー原稿と判定し、カラーブロックの数が原稿色判定閾値未満であれば、被読み取り原稿を白黒原稿と判定する。原稿色判定部３８による原稿色判定結果は、ＡＣＳ処理部２５での最終的な原稿色識別結果として主制御部２６に送られ、例えば画像形成装置等で画像を生成の際に利用される。
【００３５】
領域特定部３９は、被読み取り原稿の読取画像領域内で第１の領域（後述）を特定し、この特定結果を領域特定信号として出力するものである。領域特定部３８から出力された領域特定信号は、画素補正部３５、画素色判定部３６及びブロック色判定部３７にそれぞれ与えられる。第１の領域は被読み取り原稿の読取画像領域内で第２の読取モードに起因する色付き領域を含むもので、この第１の領域を除く他の領域が全て第２の領域となる。さらに詳述すると、画像読取装置１を第２の読取モードで動作させる場合は、原稿セット部６にセットされた原稿（被読み取り原稿）を原稿搬送部８で搬送することにより、第２の原稿台５上で原稿を一定の速度で移動させる。ただし、原稿搬送部８による搬送中に原稿の後端部が第１の搬送ローラ１０やレジストローラ１１を抜けるときなどには、第２の原稿台５上を移動する原稿の速度（搬送速度）が瞬間的に変動し、この速度変動に起因して原稿の読取画像領域内にライン状の色付きが発生する。このように第２の読取モードに起因して色付きが発生する部分を色付き領域という。
【００３６】
こうした色付き領域は、例えば原稿の後端部がレジストローラ１１を抜けるときにのみ色付きが発生するものとすると、図４に示すように、原稿の搬送方向に対応する副走査方向Ｙにおいて、原稿の後端部から所定の位置、即ちレジストローラ１１から第２の原稿台５上（原稿画像の読取位置）までの搬送路長に相当する寸法Ｌを隔てた位置に発生することが事前に予測される。そこで、領域特定部３９においては、画像処理部２４から与えられる副走査同期信号と主走査同期信号を用いて、色付きの発生が予測される領域、即ち色付き領域を含む領域を第１の領域Ｅ１として特定する。この場合、第１の領域Ｅ１を除く他の領域が第２の領域Ｅ２となる。
【００３７】
領域特定部３９での具体的な特定方法としては、次のような手法が一例として考えられる。即ち、原稿搬送部８によって搬送される原稿が第２の原稿台５上に送り込まれる前に、上記各種センサ２８に含まれる原稿サイズ検知センサからの検知信号によって被読み取り原稿の原稿サイズを検知できる場合は、図５に示すように、原稿の副走査方向Ｙで副走査同期信号がアクティブになる期間中（原稿搬送部８によって搬送される原稿の先端部が読取位置に到達してから、読取位置を抜けるまでの期間）に主走査同期信号の数（パルス数）をカウントしつつ、このカウント値と予め設定された基準値とを比較する。領域特定のための基準値は、副走査方向の原稿長さに対応して各種の原稿サイズ毎に設定されるもので、予め設定保持部４０（図３参照）に保持（記憶）されている。また、この基準値は、各種の原稿サイズ毎に、被読み取り原稿の読取画像領域内で第１の領域の開始位置Ｐｓを規定する開始位置基準値と第１の領域の終了位置Ｐｅを規定する終了位置基準値といった２つの値で構成される。そして、領域特定部３９では、被読み取り原稿の原稿サイズに対応する基準値を設定保持部４０から読み出し、この基準値との比較で、上記主走査同期信号のカウント値が２つの基準値（開始位置基準値、終了位置基準値）の間に含まれる場合は領域特定信号をアクティブ状態（即ち「１」）とし、含まれない場合は領域特定信号をネガティブ状態（即ち「０」）として出力する。これにより、領域特定信号がアクティブ状態「１」となることで、第１の領域Ｅ１が特定されることになる。
【００３８】
なお、ここでは被読み取り原稿の読取画像領域内で第１の領域を一つ特定するものとしたが、これに限らず、第１の領域を複数特定し得る構成としてもよい。具体的には、各々の原稿サイズ毎に領域特定のための基準値（開始位置基準値、終了位置基準値）の組を複数組ずつ設定保持部４０で保持し、その複数組の基準値を用いて領域特定部３９が第１の領域を特定する構成とすればよい。かかる構成を採用することにより、被読み取り原稿が第２の原稿台５上を移動している間に複数回にわたって速度変動が生じた場合でも、この速度変動による色付き領域をそれぞれ含むように複数箇所にわたって第１の領域を特定することができる。
【００３９】
図６は画素補正部３５の構成を示すブロック図である。画素補正部３５は、論理積回路３５１、演算部３５２及び選択部３５３を備えて構成されている。論理積回路３５１の一方の入力には、領域特定部３９から出力される領域特定信号が与えられ、同他方の入力には、主制御部２６から出力される補正有効信号が与えられる。また、演算部３５２の一方の入力には、画像処理部２４からL*a*b*信号が与えられ、同他方の入力には、そのL*a*b*信号を画素単位で補正するための画素補正係数が与えられる。演算部３５２に与えられる画素補正係数については、画素補正部３５に予め保持しておいてもよいし、画素補正部３５に対して外部から与える、或いは画素補正部３５が外部のメモリ等から読み出すものであってもよい。演算部３５２では、L*a*b*信号と画素補正係数を用いた演算処理（後述）により補正L*a*b*信号を生成する。
【００４０】
選択部３５３は、３つの入力部を有するもので、第１の入力部には論理積回路３５１の出力が選択制御信号として与えられる。また、第２の入力部には演算部３５２の演算処理によって生成された補正L*a*b*信号が与えられ、第３の入力部には画像処理部２４からのL*a*b*信号がそのまま与えられる。この選択部３５３では、論理積回路３５１から与えられる選択制御信号にしたがって補正L*a*b*信号と元（補正前）のL*a*b*信号のいずれか一方を選択し、この選択した信号を出力L*a*b*信号として画素色判定部３６に与える。
【００４１】
上記構成からなる画素補正部３５において、先ず、演算部３５２では、例えば図７（Ａ）に示すように、補正対象となるL*a*b*信号の各画素の色度情報（元の色度情報）Ｘに画素補正係数Ｋ（Ｋ＜１）を乗算する、或いは図７（Ｂ）に示すように、補正対象となるL*a*b*信号の各画素の色度情報（元の色度情報）Ｘ1，Ｘ2，Ｙ1，Ｙ2にそれぞれ画素補正係数Ｋ1，Ｋ2，Ｋ3，Ｋ4を加減算することにより、演算結果として得られる補正後の色度情報が色度平面上で元の色度情報よりも低彩度側に移行するように、各画素の色度情報を補正する。これにより、演算部３５２からは、元のL*a*b*信号よりも彩度の低い補正L*a*b*信号が生成される。この場合、画素補正係数は、色付き領域（図４参照）における色付き画素（原稿の速度変動で色付く画素）の彩度を予測し、この色付き画素の彩度に応じて設定するのがよい。具体的には、予想される色付き画素の色度情報が、色付き無しの場合の色度情報と近似するように設定する。
【００４２】
また、画素補正部３５においては、論理積回路３５１に与えられる領域特定信号及び補正有効信号が共に「１」のときに、論理積回路３５１から出力される選択制御信号が「１」となり、領域特定信号及び補正有効信号のいずれか一方又は両方が「０」のときに、論理積回路３５１から出力される選択制御信号が「０」となる。ここで、補正有効信号が「１」となるのは、主制御部２６で第２の読取モードが選択され、この選択結果にしたがってＡＣＳ処理部２５の識別処理条件が第２の処理条件に設定された場合である。また、領域特定信号が「１」となるのは被読み取り原稿の画像読取領域の中で第１の領域を処理対象とした場合であり、領域特定信号が「０」となるのは第２の領域を処理対象とした場合である。
【００４３】
このとき、選択部３５３においては、論理積回路３５１から与えられる選択制御信号に基づいてL*a*b*信号の補正有無を選択する。この選択部３５３による選択処理は、選択制御信号の状態が領域特定信号の状態によって変化（反転）することから、第１の領域と第２の領域に対応した識別用情報の切り替え操作に応じて行われることになる。即ち、選択部３５３では、選択制御信号が「１」のときはL*a*b*信号の補正が有り（有効）とし、選択制御信号が「０」のときはL*a*b*信号の補正が無し（無効）とする。そして、L*a*b*信号の補正が有りとした場合は演算部３５２から与えられる補正L*a*b*信号を選択して出力し、L*a*b*信号の補正が無しとした場合は画像処理部２４から与えられるL*a*b*信号を選択して出力する。
【００４４】
図８は画素色判定部３６の構成を示すブロック図である。画素色判定部３６は、論理積回路３６１、演算部３６２、選択部３６３及び画素比較部３６４を備えて構成されている。論理積回路３６１の一方の入力には、領域特定部３９から出力される領域特定信号が与えられ、同他方の入力には、主制御部２６から出力される補正有効信号が与えられる。また、演算部３６２の一方の入力には、画素色判定閾値が与えられ、同他方の入力には、その画素色判定閾値を補正するための画素色判定補正係数が与えられる。演算部３６２に入力される画素色判定閾値と画素色判定補正係数については、画素色判定部３６に予め保持しておいてもよいし、画素色判定部３６に対して外部から与える、或いは画素色判定部３６が外部のメモリ等から読み出すものであってもよい。演算部３６２では、画素色判定閾値と画素色判定補正係数を用いた演算処理（後述）により補正画素色判定閾値を生成する。
【００４５】
選択部３６３は、３つの入力部を有するもので、第１の入力部には論理積回路３６１の出力が選択制御信号として与えられる。また、第２の入力部には演算部３６２の演算処理によって生成された補正画素色判定閾値が与えられ、第３の入力部にはデフォルトの画素色判定閾値がそのまま与えられる。この選択部３６３では、論理積回路３６１から与えられる選択制御信号にしたがって補正画素色判定閾値とデフォルトの画素色判定閾値のいずれか一方を選択し、この選択した閾値を実際の画素色判定で使用すべき画素色判定閾値として画素比較部３６４に与える。デフォルトの画素色判定閾値とは、原稿搬送時の速度変動による色付きの発生を考慮せずに予め設定される標準的な画素色判定用の閾値である。このデフォルトの画素色判定閾値は、第１の読取モードで原稿画像を読み取った際の画素色判定でも用いられる。
【００４６】
画素比較部３６４は、選択部３６３から与えられる画素色判定閾値と画素補正部３５から与えられるL*a*b*信号とを用いて、当該L*a*b*信号の各画素がカラー画素か白黒画素かを判定し、この判定結果を画素色判定部３６での画素色判定結果としてブロック色判定部３７に与える。
【００４７】
上記構成からなる画素色判定部３６において、先ず、演算部３６２では、例えば図９（Ａ）に示すように、補正対象となる画素色判定閾値情報（元の閾値情報）Ｘに画素色判定補正係数Ｋ（Ｋ＞１）を乗算する、或いは図９（Ｂ）に示すように、画素色判定閾値情報（元の閾値情報）Ｘ1，Ｘ2，Ｙ1，Ｙ2にそれぞれ画素色判定補正係数Ｋ1，Ｋ2，Ｋ3，Ｋ4を加減算することにより、演算結果として得られる補正後の閾値情報が色度平面上で元（補正前）の閾値情報よりも高彩度側に移行するように、画素色判定閾値を補正する。これにより、演算部３６２からは、元の画素色判定閾値よりも彩度の高い補正画素色判定閾値が生成される。この場合、画素色判定補正係数は、色付き領域（図４参照）における色付き画素（原稿の速度変動で色付く画素）の彩度を予測し、この色付き画素の彩度に応じて設定するのがよい。具体的には、予想される色付き画素の色度情報が、画素色判定閾値との比較で白黒画素と判定されるように設定する。
【００４８】
また、画素色判定部３６においては、論理積回路３６１に与えられる領域特定信号及び補正有効信号が共に「１」のときは、論理積回路３６１から出力される選択制御信号が「１」となり、領域特定信号及び補正有効信号のいずれか一方又は両方が「０」のときは、論理積回路３６１から出力される選択制御信号が「０」となる。ここで、先にも述べたとおり、補正有効信号が「１」となるのは、主制御部２６で第２の読取モードが選択され、この選択結果にしたがってＡＣＳ処理部２５の識別処理条件が第２の処理条件に設定された場合である。また、領域特定信号が「１」となるのは被読み取り原稿の画像読取領域の中で第１の領域を処理対象とした場合であり、領域特定信号が「０」となるのは第２の領域を処理対象とした場合である。
【００４９】
このとき、選択部３６３においては、論理積回路３６１から与えられる選択制御信号に基づいて画素色判定閾値の補正有無を選択する。この選択部３６３による選択処理は、選択制御信号の状態が領域特定信号の状態によって変化（反転）することから、第１の領域と第２の領域に対応した識別用情報の切り替え操作に応じて行われることになる。即ち、選択部３６３では、選択制御信号が「１」のときは画素色判定閾値の補正が有り（有効）とし、選択制御信号が「０」のときは画素色判定閾値の補正が無し（無効）とする。そして、画素色判定閾値の補正が有りとした場合は演算部３６２から与えられる補正画素色判定閾値を選択して出力し、画素色判定閾値の補正が無しとした場合は補正前（デフォルト）の画素色判定閾値を選択して出力する。
【００５０】
これに対して画素比較部３６４では、選択部３６３から与えられた画素色判定閾値を用いて均等色空間の色度平面上に判定領域を設定するとともに、入力されるL*a*b*信号の各画素の色度情報と画素色判定閾値とを比較し、この比較結果において判定領域に含まれる画素を白黒画素、判定領域に含まれない画素をカラー画素と判定する。この画素比較部３６４による判定結果（画素色判定部３６の画素色判定結果）はブロック色判定部３７に与えられる。
【００５１】
なお、上記画素色判定部３６では、ＡＣＳ処理部２５で用いられる識別用情報として画素色判定閾値を挙げ、この画素色判定閾値を補正することにより識別用情報の切り替えを行うものとしたが、これ以外にも、画素色判定閾値を常に固定値とし、この画素色判定閾値を用いて画素比較部３６４で判定された判定結果（画素色判定結果）を識別用情報の一つとして切り替える構成としてもよい。具体的には、領域特定信号によって特定される第１の領域を処理対象としたときに、画素比較部３６４でカラー画素（又は白黒画素）と判定された画素数を、次段のブロック色判定部３７で適宜変更（増減）することにより、画素比較部３６４での画素色判定結果を補正することができる。
【００５２】
図１０はブロック色判定部３７の構成を示すブロック図である。ブロック色判定部３７は、論理積回路３７１、演算部３７２、選択部３７３及びブロック比較部３７４を備えて構成されている。論理積回路３７１の一方の入力には、領域特定部３９から出力される領域特定信号が与えられ、同他方の入力には、主制御部２６から出力される補正有効信号が与えられる。また、演算部３７２の一方の入力には、ブロック色判定閾値が与えられ、同他方の入力には、そのブロック色判定閾値を補正するためのブロック色判定補正係数が与えられる。演算部３７２に入力されるブロック色判定閾値とブロック色判定補正係数については、ブロック色判定部３７に予め保持しておいてもよいし、ブロック色判定部３７に対して外部から与える、或いはブロック色判定部３７が外部のメモリ等から読み出すものであってもよい。演算部３７２では、ブロック色判定閾値とブロック色判定補正係数を用いた演算処理（後述）により補正ブロック色判定閾値を生成する。
【００５３】
選択部３７３は、３つの入力部を有するもので、第１の入力部には論理積回路３７１の出力が選択制御信号として与えられる。また、第２の入力部には演算部３７２の演算処理によって生成されたブロック色判定閾値が与えられ、第３の入力部にはデフォルトのブロック色判定閾値がそのまま与えられる。この選択部３７３では、論理積回路３７１から与えられる選択制御信号にしたがって補正ブロック色判定閾値とデフォルトのブロック色判定閾値のいずれか一方を選択し、この選択した閾値を実際のブロック色判定で使用すべきブロック色判定閾値としてブロック比較部３７４に与える。デフォルトのブロック色判定閾値とは、原稿搬送時の速度変動による色付きの発生を考慮せずに予め設定される標準的なブロック色判定用の閾値である。このデフォルトのブロック色判定閾値は、第１の読取モードで原稿画像を読み取った際のブロック色判定でも用いられる。
【００５４】
ブロック比較部３７４は、選択部３７３から与えられるブロック色判定閾値と画素色判定部３６から与えられる画素色の判定結果を用いて、各ブロックがカラーブロックか白黒ブロックかを判定し、この判定結果をブロック色判定部３７での最終的なブロック色判定結果として原稿色判定部３８に与える。
【００５５】
上記構成からなるブロック色判定部３７において、先ず、演算部３７２では、例えば図１１に示すように、６画素×６ラインの大きさで分割されたブロックに対して、補正対象となるブロック色判定閾値がカラー画素の数で「１２」と設定されていた場合、つまりカラー画素の数が１２以上であればカラーブロック、１２未満であれば白黒ブロックと判定するように設定されていた場合は、このブロック色判定閾値にブロック色判定補正係数として与えられた「１２」を加算することにより、ブロック色判定閾値を「２４」に補正する。この場合、ブロック色判定補正係数は、被読み取り原稿の副走査方向における色付き領域（図４参照）の色付き長さを予測し、この色付き長さに応じて設定するのがよい。例えば、副走査方向における色付き領域の長さが２ライン分に相当するものであれば、この２ライン分の色付きによるカラー画素数の増加分（６画素×２ライン＝１２）を加味してブロック色判定補正係数を設定する。
【００５６】
また、ブロック色判定部３７においては、論理積回路３７１に与えられる領域特定信号及び補正有効信号が共に「１」のときは、論理積回路３７１から出力される選択制御信号が「１」となり、領域特定信号及び補正有効信号のいずれか一方又は両方が「０」のときは、論理積回路３７１から出力される選択制御信号が「０」となる。ここで、先にも述べたとおり、補正有効信号が「１」となるのは、主制御部２６で第２の読取モードが選択され、この選択結果にしたがってＡＣＳ処理部２５の識別処理条件が第２の処理条件に設定された場合である。また、領域特定信号が「１」となるのは被読み取り原稿の画像読取領域の中で第１の領域を処理対象とした場合であり、領域特定信号が「０」となるのは第２の領域を処理対象とした場合である。
【００５７】
このとき、選択部３７３においては、論理積回路３７１から与えられる選択制御信号に基づいてブロック色判定閾値の補正有無を選択する。この選択部３７３による選択処理は、選択制御信号の状態が領域特定信号の状態によって変化（反転）することから、第１の領域と第２の領域に対応した識別用情報の切り替え操作に応じて行われることになる。即ち、選択部３７３では、選択制御信号が「１」のときはブロック色判定閾値の補正が有り（有効）とし、選択制御信号が「０」のときはブロック色判定閾値の補正が無し（無効）とする。そして、ブロック色判定閾値の補正が有りとした場合は演算部３７２から与えられる補正ブロック色判定閾値を選択して出力し、ブロック色判定閾値の補正が無しとした場合は補正前（デフォルト）のブロック色判定閾値を選択して出力する。
【００５８】
これに対してブロック比較部３７５では、被読み取り原稿の読取画像領域を複数のブロックに分割するとともに、画素色判定部３６から与えられる画素色の判定結果を基にブロック毎のカラー画素数（画素色判定部３６でカラー画素と判定された画素数）をカウントし、このカウント値と選択部３７３から与えられたブロック色判定閾値とを比較する。そして、カウント値がブロック色判定閾値以上であればカラーブロック、カウント値がブロック色判定閾値未満であれば白黒ブロックと判定する。このブロック比較部３７４による判定結果（ブロック色判定部３７のブロック色判定結果）は原稿色判定部３８に与えられる。
【００５９】
なお、上記ブロック色判定部３７では、ＡＣＳ処理部２５で用いられる識別用情報としてブロック色判定閾値を挙げ、このブロック色判定閾値を補正することにより識別用情報の切り替えを行うものとしたが、これ以外にも、ブロック色判定閾値を常に固定値とし、このブロック色判定閾値を用いてブロック比較部３７４で判定されたブロック色判定結果を識別用情報の一つして切り替える構成としてもよい。具体的には、領域特定信号によって特定される第１の領域を処理対象としたときに、ブロック比較部３７４でカラーブロック（又は白黒ブロック）と判定されたブロック数を、次段の原稿色判定部３８で適宜変更（増減）することにより、ブロック比較部３７４でのブロック色判定結果を補正することができる。
【００６０】
続いて、上記構成からなる画像読取装置１で実際に原稿画像を読み取る場合の動作について説明する。先ず、ユーザが第１の原稿台４上に原稿を載置してＵＩ部２９のスタートボタンを押すと、これを受けて主制御部２６は、原稿画像の読取モードとして第１の読取モードを選択し、これに基づく制御命令を照明制御部３１及び走査操作制御部３２に与える。また、主制御部２６は、読取モードの選択とほぼ同時に補正有効信号を「０」に設定し、これによってＡＣＳ処理部２５での識別処理条件を第１の処理条件に設定する。
【００６１】
このようにＡＣＳ処理部２５での識別処理条件が第１の処理条件が設定されると、照明制御部３１によってランプ１９の駆動が制御されるとともに、走査制御部３２によってキャリッジ移動用モータ３４の駆動が制御される。その結果、第１の原稿台４の下方で光学走査系１４がランプ１９を点灯しつつ副走査方向Ｙに移動し、この移動によって原稿の画像が光学走査系１４及び結像レンズ１５を介して光電変換素子１６により読み取られる。この原稿画像の読み取りによって得られた画像信号は、アナログ／シェーディング補正部２３及び画像処理部２４を経由してＡＣＳ処理部２５に取り込まれる。
【００６２】
その際、ＡＣＳ処理部２５では、主制御部２６からの補正有効信号が「０」に設定（識別処理条件が第１の処理条件に設定）されているため、画素補正部３５におけるL*a*b*信号の補正、画素色判定部３６における画素色判定閾値の補正、ブロック色判定部３７におけるブロック色判定閾値の補正を行わずに、被読み取り原稿がカラー原稿か白黒原稿かを識別する。
【００６３】
即ち、領域特定部３９から与えられる領域特定信号が「１」，［０］のいずれであっても、これに関係なく、画素補正部３５では、画像処理部２４から与えられたL*a*b*信号をそのまま出力し、画素色判定部３６ではデフォルトの画素色判定閾値を用いて画素色の判定を行い、ブロック色判定部３７ではデフォルトのブロック色判定閾値を用いてブロック色の判定を行う。そして、最終段の原稿色判定部３８では、デフォルトのブロック色判定閾値を用いて判定されたブロック色判定部３７の判定結果に基づいて原稿色の判定を行う。
【００６４】
一方、ユーザが原稿セット部６に原稿をセットしてＵＩ部２９のスタートボタンを押すと、これを受けて主制御部２６は、原稿画像の読取モードとして第２の読取モードを選択し、これに基づく制御命令を原稿搬送制御部３０、照明制御部３１及び走査制御部３２に与える。なお、第２の読取モードで原稿画像を読み取るときに、光学走査系１４を移動させる必要がない場合は走査制御部３２に制御命令を与える必要はない。また、主制御部２６は、読取モードの選択とほぼ同時に補正有効信号を「１」にセットし、これによってＡＣＳ処理部２５での識別処理条件を第２の処理条件に設定する。
【００６５】
このようにＡＣＳ処理部２５での識別処理条件が第２の処理条件が設定されると、原稿搬送制御部３０によって原稿搬送用モータ３３の駆動が制御されるとともに、照明制御部３１によってランプ１９の駆動が制御される。また、走査制御部３２によりキャリッジ移動用モータ３２の駆動が制御される。その結果、第２の原稿台５上の読取位置に対応する所定位置まで光学走査系１４が移動し、そこで光学走査系１４が停止した状態となる。また、原稿セット部６にセットされた原稿は原稿搬送部８により搬送路Ｒに沿って搬送され、その搬送途中で第２の原稿台５上を移動する。このとき、光学走査系１４のフルレートキャリッジ１７では、原稿搬送部８による原稿の送り込みタイミングに合わせてランプ１９が点灯する。これにより、移動中の原稿の画像が光学走査系１４及び結像レンズ１５を介して光電変換素子１６により読み取られる。この原稿画像の読み取りによって得られた画像信号は、第１の読取モードの場合と同様に、アナログ／シェーディング補正部２３及び画像処理部２４を経由してＡＣＳ処理部２５に取り込まれる。
【００６６】
その際、ＡＣＳ処理部２５では、主制御部２６からの補正有効信号が「１」に設定（識別処理条件が第２の処理条件に設定）されているため、画素補正部３５におけるL*a*b*信号の補正、画素色判定部３６における画素色判定閾値の補正、ブロック色判定部３７におけるブロック色判定閾値の補正を行って、被読み取り原稿がカラー原稿か白黒原稿かを識別する。
【００６７】
即ち、画素補正部３５では、領域特定部３９から与えられた領域特定信号が「０」のときは、画像処理部２４から与えられたL*a*b*信号を選択して出力するが、領域特定信号が「１」になると、演算部３５２で補正された補正L*a*b*信号を選択して出力する。また、画素色判定部３６では、領域特定部３９から与えられた領域特定信号が「０」のときは、デフォルトの画素色判定閾値を用いて画素色の判定を行うが、領域特定信号が「１」になると、演算部３６２で補正された補正画素判定閾値を用いて画素色の判定を行う。また、ブロック色判定部３７は、領域特定部３９から与えられた領域特定信号が「０」のときは、デフォルトのブロック色判定閾値を用いてブロック色の判定を行うが、領域特定信号が「１」になると、演算部３７２で補正された補正ブロック色判定閾値を用いてブロック色の判定を行う。そして、最終段の原稿色判定部３８では、補正ブロック色判定閾値を用いて判定されたブロック色判定部３７の判定結果に基づいて原稿色の判定を行う。
【００６８】
このように主制御部２６で選択された読取モード（第１の読取モード、第２の読取モード）に応じてＡＣＳ処理部２５での処理条件（第１の処理条件、第２の処理条件）を設定することにより、原稿画像の読取モードに適した処理条件で原稿色（カラー原稿／白黒原稿）を識別することができる。
【００６９】
また、画素色判定部３６においては、ＡＣＳ処理部２５での処理条件が第２の処理条件に設定された場合（補正有効信号が「１」に設定された場合）に、色付き領域を含む第１の領域Ｅ１で画素色判定閾値が高彩度側に移行するように補正するため、第１の領域Ｅ１に存在する色付き画素を白黒画素と判定させることができる。
【００７０】
また、ブロック色判定部３７においては、ＡＣＳ処理部２５での処理条件が第２の処理条件に設定された場合（補正有効信号が「１」に設定された場合）に、色付き領域を含む第１の領域Ｅ１でブロック色判定閾値が増加するように補正するため、第１の領域Ｅ１に存在する色付き画素を含むブロックを白黒ブロックと判定させることができる。
【００７１】
その結果、原稿搬送時の速度変動等により読取画像領域に色付きが発生した場合でも、ＡＣＳ処理部２５で原稿色の識別を的確に行うことが可能となる。また、本発明の適用に対しては、現状の装置構成と比較して機械的及び電気的に大きな変更が不要であるため、低コストにて実現することが可能である。
【００７２】
また、ＡＣＳ処理部２５内の画素補正部３５、画素色判定部３６及びブロック色判定部３７の機能的な組み合わせとしては、種々の形態を採用することが可能である。即ち、画素補正部３５による画像信号の補正機能を「第１の補正機能」、画素色判定部３６による画素色判定閾値（又は画素色判定結果）の補正機能を「第２の補正機能」、ブロック色判定部３７によるブロック色判定閾値（又はブロック色判定結果）の補正機能を「第３の補正機能」とすると、第１の補正機能、第２の補正機能及び第３の補正機能のうちのいずれか一つのみを備えた構成、或いはいずれか２つのみを備えた構成を採用することも可能である。いずれの組み合わせ形態を採用した場合でも、従来の画像処理装置と比較すると、色付き発生の影響を抑えて原稿色識別処理の確度を高めることができる。
【００７３】
また、上記第１〜第３の補正機能の全てを備えた構成を採用した場合は、画素補正部３５、画素色判定部３６及びブロック色判定部３７に対して主制御部２６からの補正有効信号を個別に設定可能とし、主制御部２６が第２の読取モードを選択した場合に、ＵＩ部２９等を介して予め設定された補正機能条件にしたがって画素補正部３５、画素色判定部３６及びブロック色判定部３７のうちのいずれか一つ、又はいずれか２つに与える補正有効信号のみを「１」に設定し得る構成としてもよい。
【００７４】
さらに、ＵＩ部２９等の入力部からの設定操作により、画素補正部３５、画素色判定部３６及びブロック色判定部３７で用いられる各々の補正係数（画素補正係数、画素色判定補正係数、ブロック色判定補正係数）を外部から任意に設定変更し得る構成としてもよい。
【００７５】
【発明の効果】
以上説明したように本発明によれば、読取モード選択手段で選択された読取モード（第１の読取モード、第２の読取モード）に応じて原稿色識別手段での処理条件（第１の処理条件、第２の処理条件）を設定することにより、常に原稿画像の読取モードに適した処理条件で原稿色を識別することができる。これにより、原稿搬送時の速度変動によって色付きが発生した場合でも、原稿色（カラー原稿／白黒原稿）の識別を的確に行うことができる。
【図面の簡単な説明】
【図１】  本発明が適用される画像読取装置の構成例を示す概略図である。
【図２】  本発明が適用される画像読取装置の制御構成を示すブロック図である。
【図３】  ＡＣＳ処理部の構成を示すブロック図である。
【図４】  色付きの発生形態を説明する図である。
【図５】  領域特定手法を説明する図である。
【図６】  画素補正部の構成を示すブロック図である。
【図７】  画像信号の補正例を説明する図である。
【図８】  画素色判定部の構成を示すブロック図である。
【図９】  画素色判定閾値の補正例を説明する図である。
【図１０】  ブロック色判定部の構成を示すブロック図である。
【図１１】  ブロック色判定閾値の補正例を説明する図である。
【符号の説明】
１…画像読取装置、４…第１の原稿台、５…第２の原稿台、８…原稿搬送部、１４…光学走査系、２５…ＡＣＳ処理部、２６…主制御部、３５…画素補正部、３６…画素色判定部、３７…ブロック色判定部、３８…原稿色判定部、３９…領域特定部、４０…設定保持部
【図１】
0003804548.tif 000002
【図２】
0003804548.tif 000003
【図３】
0003804548.tif 000004
【図４】
0003804548.tif 000005
【図５】
0003804548.tif 000006
【図６】
0003804548.tif 000007
【図７】
0003804548.tif 000008
【図８】
0003804548.tif 000009
【図９】
0003804548.tif 000010
【図１０】
0003804548.tif 000011
【図１１】
0003804548.tif 000012